(57)【要約】【課題】患者が必要としている検査項目を受付時に的確に選択して検査オーダーを作成することができる受付システム及び受付端末を提供すること。【解決手段】受付端末１１１は、眼底カメラ１４０により得られた血管画像を用いた個人認証を行う個人認証部１１１−１と、眼底カメラ１４０により得られた血管画像を用いたスクリーニングを行うスクリーニング部１１１−２と、スクリーニング結果に基づいて、認証された個人に対する検査コメント及び又は検査項目を含む検査オーダーを作成する検査オーダー作成部１１１−３と、を有する。【選択図】図２
2018201669.tif 000002
【特許請求の範囲】
【請求項１】
眼底カメラと、
受付端末と、
前記受付端末によって受付処理が行われたときに、前記眼底カメラにより得られた血管画像を用いた個人認証を行う個人認証部と、
前記受付端末によって受付処理が行われたときに、前記眼底カメラにより得られた血管画像を用いたスクリーニングを行うスクリーニング部と、
前記スクリーニング結果に基づいて、前記認証された個人に対する検査コメント及び又は検査項目を含む検査オーダーを作成する検査オーダー作成部と、
具備する受付システム。
【請求項２】
検査室に配置された検査室端末を有し、
前記検査オーダー作成部によって作成された前記スクリーニング結果に基づく前記検査コメント又は検査項目を含む検査オーダーを、前記検査室端末に送る、
請求項１に記載の受付システム。
【請求項３】
各個人の既往歴及び又は禁忌情報を格納する情報格納部を有し、
前記検査オーダー作成部は、前記情報格納部から前記個人認証部で認証された個人の既往歴及び又は禁忌情報を取得し、この情報と前記スクリーニング結果とに基づいて、前記検査コメント又は検査項目を選択する、
請求項１又は請求項２に記載の受付システム。
【請求項４】
前記眼底カメラは、眼底画像を得る眼底画像取得部と、網膜画像を得る網膜画像取得部と、を有し、
前記個人認証部は、前記網膜画像取得部によって得られた網膜画像を用いて個人認証を行い、前記スクリーニング部は、前記眼底画像取得部によって得られた眼底画像を用いてスクリーニングを行う、
請求項１から請求項３のいずれか一項に記載の受付システム。
【請求項５】
眼底カメラにより得られた血管画像を用いた個人認証を行う個人認証部と、
前記眼底カメラにより得られた血管画像を用いたスクリーニングを行うスクリーニング部と、
前記スクリーニング結果に基づいて、前記認証された個人に対する検査コメント及び又は検査項目を含む検査オーダーを作成する検査オーダー作成部と、
を具備する受付端末。
【請求項６】
受付端末と、
前記受付端末によって受付処理が行われたときに、受付を行った患者の身体の同一部位から得た生体情報に基づいて、個人認証とスクリーニングとを行う個人認証・スクリーニング部と、
前記個人認証・スクリーニング部によって認証された個人に対する検査コメント及び又は検査項目を含む検査オーダーを、前記個人認証・スクリーニング部によって得られたスクリーニング結果に基づいて作成する検査オーダー作成部と、
具備する受付システム。
【請求項７】
受付を行った患者の身体の同一部位から得た生体情報に基づいて、個人認証とスクリーニングとを行う個人認証・スクリーニング部と、
前記個人認証・スクリーニング部によって認証された個人に対する検査コメント及び又は検査項目を含む検査オーダーを、前記個人認証・スクリーニング部によって得られたスクリーニング結果に基づいて作成する検査オーダー作成部と、
を具備する受付端末。
【発明の詳細な説明】
【技術分野】
【０００１】
本発明は、病院などの医療機関で用いられる受付システム及び受付端末に関する。
【背景技術】
【０００２】
近年、定期健診などの受付を自動受付システムによって行う病院が増えてきている。自動受付システムを用いれば、受付に要する時間を短縮したり、人員を減らすことができるなどの大きなメリットがある。受付端末で受け付けた患者の情報は、病院内の医用ネットワークを介して検査室の端末に送信され、検査室の医師は端末によってこれから検査しようとする患者の情報を見ることができる。
【０００３】
一方、生体認証を行う受付システムが特許文献１に記載されている。特許文献１では、主に金融機関において、受付端末において取得した受付時生体情報と登録された登録生体情報とを用いて認証を行うことにより、セキュリティの向上した受付及び順番管理を実現している。
【先行技術文献】
【特許文献】
【０００４】
【特許文献１】特開２０１０−２７７１３６号公報
【非特許文献】
【０００５】
【非特許文献１】「生体認証のための眼底画像における血管像を用いた類似度算出法」,画像電子学会誌, Vol. 37 (2008), No. 6, P 1020-1028
【発明の概要】
【発明が解決しようとする課題】
【０００６】
ところで、病院での定期健診の受付に自動受付システムを導入する場合、定期健診は患者ごとに決められた検査項目をほぼ毎回行うため、新たな疾患が発生したとしても、その疾患のための検査は見落とされてしまい、行うべき検査が行われない可能性がある。
【０００７】
具体的には、自動受付システムを定期健診に用いた場合を想定すると、自動受付システムの受付端末によって患者個人が認証され、認証された患者に対応した定期健診検査項目（つまり検査オーダー）が検査室の端末に送られ、検査室の医師は検査オーダーに従った検査を行う。
【０００８】
ここで、人員による受付では、患者の様子や患者への聞き取りによって臨機応変に定期健診検査項目以外の検査オーダーも追加することができるが、受付端末では新たな疾病が発生していても定期健診検査項目以外の検査を臨機応変に追加することはできない。これは、人員による受付と比較した場合の自動受付システムの欠点であると考えられる。
【０００９】
本発明は、以上の点を考慮してなされたものであり、患者が必要としている検査項目を受付時に的確に選択して検査オーダーを作成することができる受付システム及び受付端末を提供する。
【課題を解決するための手段】
【００１０】
本発明の受付システムの一つの態様は、
眼底カメラと、
受付端末と、
前記受付端末によって受付処理が行われたときに、前記眼底カメラにより得られた血管画像を用いた個人認証を行う個人認証部と、
前記受付端末によって受付処理が行われたときに、前記眼底カメラにより得られた血管画像を用いたスクリーニングを行うスクリーニング部と、
前記スクリーニング結果に基づいて、前記認証された個人に対する検査コメント及び又は検査項目を含む検査オーダーを作成する検査オーダー作成部と、
具備する受付システム。
【００１１】
本発明の受付端末の一つの態様は、
眼底カメラにより得られた血管画像を用いた個人認証を行う個人認証部と、
前記眼底カメラにより得られた血管画像を用いたスクリーニングを行うスクリーニング部と、
前記スクリーニング結果に基づいて、前記認証された個人に対する検査コメント及び又は検査項目を含む検査オーダーを作成する検査オーダー作成部と、
を具備する。
【００１２】
本発明の受付システムの一つの態様は、
受付端末と、
前記受付端末によって受付処理が行われたときに、受付を行った患者の身体の同一部位から得た生体情報に基づいて、個人認証とスクリーニングとを行う個人認証・スクリーニング部と、
前記個人認証・スクリーニング部によって認証された個人に対する検査コメント及び又は検査項目を含む検査オーダーを、前記個人認証・スクリーニング部によって得られたスクリーニング結果に基づいて作成する検査オーダー作成部と、
具備する受付システム。
【００１３】
本発明の受付端末の一つの態様は、
受付を行った患者の身体の同一部位から得た生体情報に基づいて、個人認証とスクリーニングとを行う個人認証・スクリーニング部と、
前記個人認証・スクリーニング部によって認証された個人に対する検査コメント及び又は検査項目を含む検査オーダーを、前記個人認証・スクリーニング部によって得られたスクリーニング結果に基づいて作成する検査オーダー作成部と、
を具備する。
【発明の効果】
【００１４】
本発明によれば、受付時における患者の認証時に認証と同時にスクリーニングも行うようにしたので、患者が必要としている検査項目を受付時に的確に選択して検査オーダーを作成することができる受付システム及び受付端末を実現できる。
【図面の簡単な説明】
【００１５】
【図１】実施の形態に係る受付システムを含む医用ネットワークシステムの全体構成を示す概略図
【図２】実施の形態の受付システムの基本構成を示すブロック図
【図３】眼底カメラの構成例を示す図
【図４】実施の形態の受付システムの動作の説明に供する図
【図５】網膜認証処理の詳しい処理内容を示すフローチャート
【図６】スクリーニング処理の詳しい処理内容を示すフローチャート
【図７】実施の形態の受付端末によって発行される検査オーダーの例を示す図
【発明を実施するための形態】
【００１６】
以下、本発明の実施の形態を、図面を参照して説明する。
【００１７】
図１は、本発明の実施の形態に係る受付システムを含む医用ネットワークシステムの全体構成を示す概略図である。
【００１８】
図１の医用ネットワークシステム１００は、ＨＩＳ（Hospital Information System）端末群１１０と、生理検査部門システム１２０とがサーバー１３０を介してネットワーク接続されている。
【００１９】
ＨＩＳ端末群１１０は、サーバー１３０に格納された情報を読み出すことができるようになっている。
【００２０】
生理検査部門システム１２０は、心電計１２１、ホルタ心電図解析装置１２２、運動負荷装置１２３、肺機能検査装置１２４、血圧脈波検査装置１２５、プリンタ１２６、スキャナ１２７及び検査室端末１２８がネットワーク接続されて構成されている。これらの装置は、生理検査室に設置されている。なお、生理検査部門システム１２０は、脳波計などの他の生理検査を行う検査装置が接続されてもよい。
【００２１】
生理検査部門システム１２０の各検査装置１２１〜１２５により得られた検査結果データは、サーバー１３０に格納される。また、サーバー１３０は、各検査装置１２１〜１２５により形成された検査結果レポートを格納する。各検査装置１２１〜１２５は、所定の計算式に基づいて、検査結果の代表値や、最も悪い値などを求め、これらの値を所定のフォーマットとすることで検査結果レポートを形成し、このレポートを他の詳細な検査結果データと共にサーバー１３０に出力する。サーバー１３０に格納された検査結果データ及び検査結果レポートは、ＨＩＳ端末群１１０や検査室端末１２８から閲覧することができる。
【００２２】
本実施の形態の場合、サーバー１３０には、各患者個人の既往歴及び又は禁忌情報が格納されている。
【００２３】
ＨＩＳ端末群１１０には受付端末１１１が含まれている。受付端末１１１は病院の入口などに設置されている。受付端末１１１の隣には眼底カメラ１４０が配置されている。受付端末１１１は、眼底カメラ１４０に接続されており、眼底カメラ１４０により得られた眼底画像及び網膜画像を入力する。
【００２４】
受付端末１１１は、入力した網膜画像に基づいて患者を個人認証するのに加えて、眼底画像に基づいてスクリーニングを行い、スクリーニング結果に応じて、認証された個人に対する検査メッセージ及び又は検査項目を含む検査オーダーを作成する。なお、本実施の形態では、検査メッセージのみを作成してもよく、又は検査項目のみを作成してもよく、又は検査メッセージと検査項目の両方を作成してもよい。受付端末１１１は、作成した検査メッセージ及び又は検査項目を含む検査オーダーを検査室端末１２８に送る。これにより、医師は、受付端末１１１によって作成された検査メッセージ及び又は検査項目を含む検査オーダーに従って検査を行うことができる。
【００２５】
図２は、本実施の形態の受付システム２００の基本構成を示すブロック図である。
【００２６】
受付端末１１１は、個人認証部１１１−１、スクリーニング部１１１−２及び検査オーダー作成部１１１−３を有する。勿論、受付端末１１１は、キーボードなどの操作部や表示部なども有するが、図２ではこれらを省略してある。
【００２７】
個人認証部１１１−１は、眼底カメラ１４０により得られた網膜画像から血管パターンを検出し、血管パターンを用いて個人認証を行う。ここで、個人認証部１１１−１は、情報格納部としてのサーバー１３０に格納されている各患者の網膜の血管パターンと、眼底カメラ１４０によって得られた血管パターンとを照合することで個人認証を行う。
【００２８】
サーバー１３０には、各患者の血管パターンに加えて、各患者の定期健診検査項目や、各患者の既往歴情報、各患者の禁忌情報などが格納されている。
【００２９】
スクリーニング部１１１−２は、眼底カメラ１４０により得られた眼底画像を用いたスクリーニングを行う。具体的には、スクリーニング部１１１−２は、眼底画像から血管の狭窄をチェックし、動脈硬化の疑いがあるか否かのスクリーニングを行う。
【００３０】
検査オーダー作成部１１１−３は、スクリーニング部１１１−２によるスクリーニング結果に基づいて、個人認証部１１１−１によって認証された個人に対する検査メッセージ及び又は検査項目を作成する。
【００３１】
このとき、検査オーダー作成部１１１−３は、サーバー１３０から個人認証部１１１−１で認証された個人の既往歴及び又は禁忌情報を取得し、この情報とスクリーニング結果とに基づいて、検査メッセージ及び又は検査項目を選択する。このようにすることで、各患者個人に適した検査メッセージ及び又は検査項目を選択できる。検査オーダー作成部１１１−３は、認証された患者が定期健診の患者であれば、定期健診検査項目に、スクリーニングの結果必要であると判断した検査メッセージ及び又は検査項目を加えて検査オーダーを作成する。検査オーダー作成部１１１−３は、作成した検査オーダーを検査室端末１２８に送信する。
【００３２】
図３は、眼底カメラ１４０の構成例を示す図である。なお、眼底カメラ１４０の構成はよく知られたものであり、図３の構成例以外の構成を採用してもよい。ここでは、図３の構成例について簡単に説明する。
【００３３】
赤外線照射部１から照射された赤外線がコンデンサーレンズ２、ミラー３、リング状スリット４、リレーレンズ５、６、有穴ミラー７及び対物レンズ８を介して眼球９の眼底に入射される。眼底からの反射光は、対物レンズ８、有穴ミラー７、合焦・結像レンズ１０及びハーフミラー１１を介してＣＣＤカメラ１２及び受光センサ部１３に入射される。ＣＣＤカメラ１２によって撮像された眼底画像は、受付端末１１１に送られる。受光センサ部１３は、いわゆる光干渉断層計(ＯＣＴ)で構成されており、網膜画像を撮影する。受光センサ部１３によって得られた網膜画像は、受付端末１１１に送られる。つまり、眼底カメラ１４０は、眼底画像及び網膜画像を撮像し、これらを受付端末１１１に送る。
【００３４】
次に、本実施の形態の受付システム２００の動作を、図４のフローチャートを用いて説明する。
【００３５】
受付システム２００の受付端末１１１はステップＳ１で受付手続を開始すると、ステップＳ２で診察券を持参しているか否かを表示又は音声にて患者に質問する。患者によって診察券を持参していることが入力されると、受付端末１１１はステップＳ３に移って診察券の磁気やバーコードを読み取ることで個人情報を入力し、続くステップＳ４で個人情報を参照し、続くステップＳ５でＩＤを発行する。
【００３６】
一方、受付端末１１１は、ステップＳ２において患者によって診察券を持参していないことが入力されると、ステップＳ２からステップＳ６に移る。受付端末１１１はステップＳ６で患者によるキー入力にて個人情報が入力されると、ステップＳ７に移って初診の患者であるか否か判断する。初診の患者である場合は、ステップＳ８に移って個人情報を登録し、続くステップＳ９でＩＤを発行し、続くステップＳ１０で診察券を発行する。これに対して、受付端末１１１は、初診でないと判断すると、ステップＳ７からステップＳ１１に移って個人情報を参照し、続くステップＳ１２でＩＤを発行し、続くステップＳ１３で診察券を過去に発行済でないと判断した場合にはステップＳ１０に移る。
【００３７】
ステップＳ１４では眼底カメラ１４０が網膜画像を撮影し、続くステップＳ１５では受付端末１１１が網膜認証処理を行うことで患者の個人認証を行う。ステップＳ１６では眼底カメラ１４０が眼底画像を撮影し、続くステップＳ１７では受付端末１１１がスクリーニング処理を行って患者に合った検査メッセージ又は検査項目を含む検査オーダーを作成しこれを検査室端末１２８に送信する。そして、受付端末１１１は、ステップＳ１８で受付手続を終了する。
【００３８】
図５は、ステップＳ１５で行われる網膜認証処理の詳しい処理内容を示すフローチャートである。
【００３９】
受付端末１１１の個人認証部１１１−１は、ステップＳ１５−１で網膜認証処理を開始すると、ステップＳ１５−２で眼底カメラ１４０から網膜画像を取得し、ステップＳ１５−３でその画像を２値化し、ステップＳ１５−４で特徴量を抽出する。これにより、血管パターンが得られる。個人認証部１１１−１は、ステップＳ１５−５においてサーバー１３０に格納されている患者の血管パターンとのパターンマッチングを行い、ステップＳ１５−６において一致した血管パターンがあるか否かを判断する。サーバー１３０に格納された血管パターンの中に一致する血管パターンがあった場合、ステップＳ１５−７に移って認証処理を行う。これに対して、サーバー１３０に格納された血管パターンの中に一致する血管パターンがなかった場合、ステップＳ１５−８に移って新規登録処理を行う。個人認証部１１１−１は、ステップＳ１５−９で網膜認証処理を終了する。
【００４０】
図６は、ステップＳ１７で行われるスクリーニング処理の詳しい処理内容を示すフローチャートである。
【００４１】
受付端末１１１のスクリーニング部１１１−２は、ステップＳ１７−１でスクリーニング処理を開始すると、ステップＳ１７−２で眼底カメラ１４０から眼底画像を取得し、ステップＳ１７−３でモルフォロジーフィルタによるフィルタ処理を行い、ステップＳ１７−４で正常な画像とのテンプレートマッチングを行う。スクリーニング部１１１−２は、ステップＳ１７−５において眼底画像に異常があるか否か判断し、異常があった場合、ステップＳ１７−６に移ってオーダーコメントに「動脈硬化の疑いあり」などのメッセージを選択し追加する。スクリーニング部１１１−２は、ステップＳ１７−７においてサーバー１３０に格納されている患者の定期健診検査項目をチェックし、ステップＳ１７−８において血圧脈波の検査が含まれているか否か判断し、含まれていない場合にはステップＳ１７−１０に移ってオーダーコメントに血圧脈波検査の実施を提案するメッセージを追加する。このように、受付端末１１１は、検出した異常に合わせて提案する検査を変えるようになっている。スクリーニング部１１１−２は、ステップＳ１７−９でスクリーニング処理を終了する。
【００４２】
図７は、本実施の形態の受付端末１１１によって発行される検査オーダーの例を示す図である。オーダーコメントの欄に「動脈硬化の疑いあり、血圧脈波検査を追加しますか？」の記載が追加されている。これにより、このような検査オーダー画面を検査室端末１２８で見た医師に、定期健診検査項目に加えて、動脈硬化の検査を行うことを促すことができる。
【００４３】
以上説明したように、本実施の形態によれば、受付端末１１１が、眼底カメラ１４０により得られた血管画像を用いた個人認証を行う個人認証部１１１−１と、眼底カメラ１４０により得られた血管画像を用いたスクリーニングを行うスクリーニング部１１１−２と、スクリーニング結果に基づいて、認証された個人に対する検査コメント及び又は検査項目を含む検査オーダーを作成する検査オーダー作成部１１１−３と、を有する構成としたことにより、患者が必要としている検査項目を受付時に的確に選択して検査オーダーを作成することができる受付システム２００及び受付端末１１１を実現できる。
【００４４】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００４５】
上述の実施の形態では、網膜画像から血管像を得、この血管像に基づいて個人認証を行うとともに、眼底画像に基づいてスクリーニングを行う場合ついて述べたが、眼底画像から血管像を得、この血管像に基づいて個人認証を行うようにしてもよい。このようにした場合、図３の受光センサ部１３を省略することができる。因みに、眼底画像血管像を得、この血管像に基づいて個人認証を行う場合には、例えば非特許文献１に記載されているような既知の方法を適用できる。
【００４６】
また、上述の実施の形態では、個人認証部１１１−１、スクリーニング部１１１−２及び検査オーダー作成部１１１−３を受付端末１１１に設けた場合について述べたが、これらは受信端末とは別体に設けるようにしてもよい。つまり、受信端末は例えば図４のステップＳ１〜Ｓ１３に示したような一般的な受付処理を行う構成とし、個人認証部及びスクリーニング部は、受付端末によって受付処理が行われたときに、上述したような個人認証処理及びスクリーニング処理を行うようにすればよい。
【００４７】
さらに、上述の実施の形態では、眼底カメラにより得られた血管画像を用いて個人認証及びスクリーニングを行う場合について述べたが、本発明はこれに限らず、要は、受付を行った患者の身体の同一部位から得た生体情報に基づいて、個人認証とスクリーニングとを行う個人認証・スクリーニング部と、個人認証・スクリーニング部によって認証された個人に対する検査コメント及び又は検査項目を含む検査オーダーを、個人認証・スクリーニング部によって得られたスクリーニング結果に基づいて作成する検査オーダー作成部と、を設ければ、上述の実施の形態と同様の効果を得ることができる。
【００４８】
このような個人認証・スクリーニング部の実現例としては、例えば指にプローブを装着することでＳｐＯ２を測定するパルスオキシメーターに、指紋センサーを組み込むようにすればよい。このようにすれば、受付を行った患者の身体の同一部位（指）から得た生体情報に基づいて、個人認証とスクリーニングとを行うことができるようになる。
【産業上の利用可能性】
【００４９】
本発明は、病院などの医療機関における医用ネットワークシステムに組み込まれる受付システム及び受付端末として有用である。
【符号の説明】
【００５０】
１００  医用ネットワークシステム
１１０  ＨＩＳ端末群
１１１  受付端末
１１１−１  個人認証部
１１１−２  スクリーニング部
１１１−３  検査オーダー作成部
１２０  生理検査部門システム
１２８  検査室端末
１３０  サーバー
１４０  眼底カメラ
２００  受付システム
【図１】
2018201669.tif 000003
【図２】
2018201669.tif 000004
【図３】
2018201669.tif 000005
【図４】
2018201669.tif 000006
【図５】
2018201669.tif 000007
【図６】
2018201669.tif 000008
【図７】
2018201669.tif 000009